(57)【要約】【課題】  飛行する状態を表現できる玩具本体と、この玩具本体を支持するスタンドと、玩具本体を変化のある飛行状態を表現するように作動させる作動装置とを提供すること。【解決手段】飛行機を模した玩具本体と電源装置とから構成され、以下の要件を備えたことを特徴とする飛行機玩具。（イ）玩具本体１の内部にモータ２を備え、モータ２の回転軸はプロペラ３に作動連結されていること（ロ）玩具本体１は電源装置６に形成された取付部８に着脱可能で、取付部８には取り付け時には玩具本体１のモータ２と電源装置６の電源とが電気的に接続するように形成されていること【選択図】図２
2005323947.tif 000002
【特許請求の範囲】
【請求項１】
飛行機を模した玩具本体と電源を有する電源装置とから構成され、以下の要件を備えたことを特徴とする飛行機玩具。
（イ）玩具本体の内部にモータを備え、モータの回転軸はプロペラに作動連結されていること
（ロ）玩具本体は電源装置に形成された取付部に着脱可能で、取付部には取り付け時には玩具本体のモータと電源装置の電源とが電気的に接続するように形成されていること
【請求項２】
前記電源装置は台座部と台座部から上方に延びたアーム部とを備え、アーム部の先端には前記玩具本体の取付部が設けられたことを特徴とする、請求項１記載の飛行機玩具。
【請求項３】
前記電源装置には、前記装置本体から作動可能に設けられたアーム部と、このアーム部の作動を操作するための操作手段とが設けられ、上記アーム部の先端には前記玩具本体の取付部を形成したことを特徴とする、請求項１記載の飛行機玩具。
【請求項４】
以下の要件を備えたことを特徴とする、請求項１に記載の飛行機玩具。
（イ）前記電源装置は、一方側に電池を有する錘部材を、他方側に前記玩具本体を取り付ける取付部を有するロッドと、該ロッドを点状に支持するスタンドとから構成されること
（ロ）上記錘部材はロッドに沿って移動可能に設けられているとともに、錘部材にはナットを回転自在に設けるとともに、ロッドには上記ナットと螺合するねじ溝を形成すること
（ハ）上記錘部材には有線／無線の操作手段によって上記ナットを回転させる操作手段が設けられていること
【請求項５】
前記プロペラ回転用モータ又は発光素子部材と前記電源装置の取付部に取り付け可能な受け部とをそれぞれ玩具本体に着脱可能に備え、上記受け部を、上記電源装置と上記モータ又は発光素子部材とを電気的に接続可能に形成することを特徴とする、請求項１記載の飛行機玩具。
【発明の詳細な説明】
【技術分野】
【０００１】
本発明は、飛行する状態を表現できる飛行機機玩具に関する。
【背景技術】
【０００２】
プラスチックモデル等の飛行機玩具は、多種多様のものが市場提供されていて広範な年齢層の人に広く愛用されている。
【０００３】
しかしながら、これ等の飛行機玩具は、飾って眺めるか、あるいは車輪で床面を走行させるだけのものであって、飛行状態を表現させて楽しむことはできないものであった。
【特許文献１】実公平６−１７５０７号公報
【発明の開示】
【発明が解決しようとする課題】
【０００４】
本発明は上記問題点を解消し、あたかも飛行しているかのような状態を作り出すことができる飛行機玩具を提供することを課題とする。
【課題を解決するための手段】
【０００５】
前記課題を解消するため、本発明に係る飛行機玩具は、飛行機を模した玩具本体と電源装置とから構成され、以下の要件を備えたことを特徴とする。
（イ）玩具本体の内部にモータを備え、モータの回転軸はプロペラに作動連結されていること
（ロ）玩具本体は電源装置に形成された取付部に着脱可能で、取付部には取り付け時には玩具本体のモータと電源装置とが電気的に接続する接続部が形成されていること
【０００６】
なお、前記電源装置は台座部と台座部から上方に延びたアーム部とを備え、アーム部の先端には前記玩具本体の取付部が設けられるように構成するのがよい。
【０００７】
また、前記電源装置には、前記装置本体から延びるアーム部と、このアーム部を操作するための操作手段とが設けられ、上記アーム部の先端には前記玩具本体の取付部を形成するように構成してもよい。
【０００８】
さらに、上記飛行機玩具は以下の要件を備えるように構成してもよい。
（イ）前記電源装置は、一方側に電池を有する錘部材を、他方側に前記玩具本体を取り付ける電源供給部を有するロッドと、該ロッドを中央部で支持するスタンドとから構成されること
（ロ）上記錘部材は、有線／無線の操作手段によって操作可能に構成され、ロッドに対して前後に移動し、またはロッドに対し回動すること
【０００９】
さらにまた、前記プロペラ回転用モータ又は発光素子部材と前記電源装置の取付部に取り付け可能な受け部とをそれぞれ玩具本体に着脱可能に備え、上記受け部を、上記電源装置と上記モータ又は発光素子部材とを電気的に接続可能に形成するようにしてもよい。
【発明の効果】
【００１０】
請求項１に係る発明によれば、外部の電源装置の取付部に玩具本体を取り付けた後にモータへ給電すると、モータによりプロペラが回転されるため、プロペラ機が飛行している状態を表現できる。
【００１１】
請求項２に係る発明によれば、電源装置のアーム部の先端に設けられた取付部に玩具本体を取り付けることにより、飛行機がさらに空中を飛行する状態をリアルに表現することができる。
【００１２】
請求項３に係る発明によれば、電源装置のアーム部の先端に設けられた取付部に玩具本体を取り付けるとともに、操作手段によりアーム部を作動させることにより、飛行機を操縦しているような感覚が得られる。
【００１３】
請求項４に係る発明によれば、スタンドにロッドを支持させると、ロッドはやじろべえと同様に点状に支持されるので、玩具本体に設けたプロペラを回転させると玩具本体に推進力が働き、旋回運動する。また、操作手段によってナットを正又は逆方向に回転させることにより錘部材は点状の支持部に近づき又は遠ざかるので、全体のバランスが変化して玩具本体の位置は高くなったり低くなったりする。したがって、旋回する玩具本体を高く、低く操縦制御することができる。
【００１４】
請求項５に係る発明によれば、玩具本体に受け部とモータ又は発光素子部材とを取り付ければ、受け部によって電源装置と上記モータ又は発光素子部材とが電気的に接続可能に形成されているので、モータによってプロペラを回転させることができ、または発光素子部材から発光させてジェット機が燃料を噴射しながら飛行する状態を作り出すことができる。玩具本体にはモータや発光素子部材を設けておく必要がないので、いろいろな型の玩具本体を低コストで製造することができる。
【発明を実施するための最良の形態】
【００１５】
以下に本発明に係る玩具本体とその操作装置の実施形態を図面について説明する。
【００１６】
図１及び図２において符号１は、プロペラ推進の玩具本体を示す。この玩具本体１は飛行機を模した形状をなし、エンジンの搭載部にモータ２を内蔵し、このモータ２の軸にはプロペラ３を取り付け、該プロペラ３を回転させると玩具本体１が飛行する状態を表現させるものであって、下部には図２に示す通り、他の部材に取り付けるための受け部４が設けられ、この受け部４には１対の接点５(孔に形成されている)が設けられている。
【００１７】
なお、プロペラ推進の玩具本体１は、前記した単エンジン型だけでなく、エンジンを２個、３個、４個、或いは５個以上を備えるものがあるので、これらの場合は、各エンジンの搭載部にそれぞれモータ２を内蔵し、モータ２の軸にプロペラ３が取り付けられる。
【００１８】
図１及び図２において符号６は、玩具本体１を飛行する状態に支持する電源装置を示すものであり、この電源装置６は台座部６ａと、この台座部６ａ上に立てたアーム部６ｂとで構成し、台座部６ａには電池７を内蔵し、アーム部６ｂは上端に玩具本体１の取付部８を設け、この取付部８には玩具本体１の接点５に接触する１対の軸状の端子９が設けられ、これ等端子９と電池７をアーム６ｂと台座部６ａを通した一対の電線１０を介して接続し、電線１０の一方に台座部６ａへ取り付けた電源スイッチ１１が挿入されるようにする。
【００１９】
上記プロペラ推進の玩具本体１は、下部の接点５を電源装置６のアーム６ｂに設けた端子９に接触させると、玩具本体１が電池７と接続されてスタンド６に安定して支持されるから、電源スイッチ１１を入れて玩具本体１へ内蔵したモータ２へ給電すると、モータ２が回転してその軸に取り付けたプロペラ３を回転させるため、玩具本体１はプロペラ３の回転によって飛行する状態を表現する。
【００２０】
図３において符号１はジェット推進の玩具本体を示す。この玩具本体１は、エンジンの搭載部に噴射口１２に対応させてＬＥＤ等の発光素子を内蔵した発光素子部材１３を通電により発光させて、ジェット噴射で玩具本体１が飛行する状態を表現させるものであり、下部には、図２に示したプロペラ推進の玩具本体１と同様の受け部４が設けられ、さらにこの受け部４に一対の接点５が設けられている。
【００２１】
なお、ジェット推進の玩具本体１は、前記した単エンジン型だけでなくエンジンを２個、３個、４個、或いは５個以上備えるものがあるので、これらの場合は、各エンジンの搭載部にそれぞれ発光素子を取り付けられるようにする。
【００２２】
上記ジェット推進の玩具本体１は、接点５を図２に示した電源装置６のアーム６ｂに設けた端子９へ係合させると、玩具本体１は受け部４を電源装置６に安定して支持され、電池７より給電されるようになるので、電池７から発光素子部材１３へ給電すると、発光素子が噴射孔１２より発光して玩具本体１がジェット推進で飛行する状態を表現する。
【００２３】
図４〜図６において符号１４は電源装置１４を示す。この電源装置１４からアーム部１５が作動可能に設けられ、アーム部１５の先端には可動駒１６(取付部)が取り付けられている。電源装置１４には、アーム部１５を上昇、下降させる操作機構１７と可動駒１６を左、右に傾斜させる操作機構１８｛図７（ａ）（ｂ）参照｝が設けられている。と、操作機構１７と可動駒１６を連結するロッド１９及び操作機構１８と可動駒１６を連結するロッド２０｛図７（ａ）（ｂ）を参照｝とで構成される。
【００２４】
上記電源装置１４は箱形で、中央部には操縦桿の設置部１４ａを、その両側にはスイッチの設置部１４ｂと、起伏レバーの設置部１４ｃを設ける。そして、操縦桿の設置部１４ａには、操縦桿２１を前後へ回動するように軸２２で取り付けた方形支持筒２３を配置して、この支持筒２３を前後の壁から突出する軸２４を電源装置１４の壁へ嵌合することにより、操縦桿２１を左右へも回動できるようにしている。
【００２５】
また、電源装置１４におけるスイッチの設置部１４ｂには、図４に示す通り、電池７からモータ２への給電を制御するスイッチ１１を取り付け、起伏レバーの設置部１４ｃには、図１１に示す通り電源装置１４の壁へ固定した受体２５へ軸２６で取り付けて、前後へ回動できるようにした起伏レバー２７を設け、長孔２８から外へ出してある。
【００２６】
上記アーム部１５は、図５、図６に示す通り、基部を電源装置１４における操縦桿の設置部１４ａに設けた支持板２８へ左右方向の軸２９により取り付けて、長孔３０より外へ出し、基部の下側には起伏用のレバー３０（図１０参照）を突出させ、アーム部１５の先端には支持体３２の後部を左右方向の軸３３で取り付ける。また、支持体３２には前後方向の軸３４によって可動駒３５を取り付ける。そして、支持体３２の後部下側には、前後方向の回動を起させるレバー３６を突設させ、このレバー３６とは反対側において可動駒３５の側面には、図８（ａ）（ｂ）、図９（ａ）（ｂ）に示す通り、左右の回動を起させるピン３７を突出させて、このピン３７に支点部３８を軸３３に嵌合して、下側には前後方向の回動を起させるレバー３９を設けた作動体４０の操作長溝４１を係合させてある。
【００２７】
上記可動駒３５は、その上面に図９（ａ）に示す通り一対の端子９を設け、この端子９と電源装置１４に内蔵した電池７とを、図５、図６に示す通り中空のアーム部１５内を通した電線１０を介して接続し、端子９へ玩具本体１の接点５を接触させると、玩具本体１のモータに対して給電されるようになっている。
【００２８】
上記ロッド１９は、図５、図６に示す通り、先端に設けた接続具４２を支持体３２の下部に設けた回動レバー３６へ軸４３で連結し、後部に設けた接続具４４を前記軸２９へ枢着部４５を嵌合した逆Ｔ字形をなす伝動レバー４６の前片４６ａへ軸４７で連結する。また、他方の伝動ロッド２０の先端に設けた接続具４８は、図８（ａ）、図９（ａ）に示す通り、作動体４０の下部に設けたレバー３９へ軸４９で連結し、後端に設けた接続具５０は、前記軸２９へ枢着部５１を嵌合した別の逆Ｔ字形をなす伝動レバー５２の前片５２ａへ軸５３で連結する。
【００２９】
上記上昇、下降の操作機構１７は、図５、図６に示す通り、前片４６ａにロッド１９の基部を連結した逆Ｔ字形をなす伝動レバー４６の後片４６ｂに連接棒５４の一端を軸５５で連結し、連接棒５４の他端を操縦桿２１の下端へ軸５６で連結して構成したものであり、操縦桿２１を前後へ回動すると、伝動レバー４６がロッド１９を前進又は後退させて、支持体３２のレバー３６を押したり、引いたりするため、可動駒３５が支持体３２とともに前方または後方へ回動される。
【００３０】
上記左右傾斜の操作機構１８は、図７（ａ）（ｂ）に示す通り、連接棒５４の上に支点部５７を軸５８で連接棒５４へ連結したＬ字形をなすレバー５９を設け、このレバー５９の前向き片５９ａの先端上部に球頭６０を設けて、電源装置１４に設けた挟片６１に挟ませることにより横方向の移動を抑える。そして、レバー５９の横向き片５９ｂの先端には、連杆６２の一端を軸６３で取り付け、連杆６２の他端を逆Ｔ字形をなす伝動レバー５２の後片５２ｂへ軸６４で連結することにより構成して、操縦桿２１を左右へ回動するとロッド２０が前進または後退して、作動体４０のレバー３９を押したり、引いたりするため、可動駒３５は左方または右方へ回動される。
【００３１】
更に、受体２５へ軸２６で取り付けられた上記起伏レバー２７と、アーム部１５の基部下側へ突出させた起伏レバー３１とは、図１１に示す通り、位置をずらして配置される。従って、両者の間に中間の支点部６５を軸６６で電源装置１４の底部へ取り付けた水平レバー６７を設けて、該レバー６７の一端と起伏レバー２７の下端とをコイルばね６８で連結し、レバー６７の他端は、起伏レバー２７へ軸６９で連結した連杆７０の他端へ軸７１で取り付ける構成として、起伏レバー２７を前後に回動させると、この運動がレバー３１に伝えられて、これを押したり引いたりし、アーム部１５を起伏させてアーム部１５の傾き角度を変化させる。
【００３２】
上記構成の玩具本体１の作動装置は、アーム部１５の先端に設けた可動駒３５に、端子９に接点５を接触させた状態で玩具本体１を取り付けると、玩具本体１はアーム部１５に支持されて、モータに給電されるためプロペラ３が作動して玩具本体１が飛行しているような状態となる。また、操縦桿２１を図５に示す通り後方へ倒すと、連接棒５４により伝動レバー４６が前方へ押されて、ロッド１９で支持体３２のレバー３６を押す。このため、支持体３２は後方へ回動して可動駒３５に取り付けた玩具本体１を機首を上げて上昇する状態が作り出される。
【００３３】
また、操縦桿２１を図６に示す通り前へ倒すと、連接棒５４により伝動レバー４６が引かれて、ロッド１９により支持体３２のレバー３６を引くから、支持体３２は前方へ回動して可動駒３５に取り付けた玩具本体１を機首を上げて上昇する状態となる。
【００３４】
次に、操縦桿２１を図７（ａ）に示す通り右方へ倒すと、連接棒５４上に設けたＬ字形のレバー５９が左回動されて、連杆６２で伝動レバー５２を前方に回動させ、ロッド２０により作動体４０のレバー３９を押す。このため、作動体４０は図８（ａ）に示す通り、操作長溝４１によりピン３７を押し上げるように回動して、可動駒３５を軸３４を中心に右方向へ回動させ、可動駒３４に支持される玩具本体１を図８（ｂ）に示す通り右に傾斜させる。
【００３５】
また、操縦桿２１を図７（ｂ）に示す通り左方へ倒すと、Ｌ字形のレバー５９が右回動されて、連杆６２で伝動レバー５２を後方に回動させ、ロッド２０により作動体４０のレバー３９を引くため、作動体４０は図９（ａ）に示す通り、操作長溝４１でピン３７を引き下げるように回動されて、可動駒３５を軸３４を中心に左方向へ回動させ、可動駒３５に  支持される玩具本体１を図９（ｂ）に示す通り左に傾斜させる。
【００３６】
なお、起伏レバー２７を図１０に実線で示す位置から鎖線で示す位置へと倒すと、コイルばね６８により水平レバー６７の一端を引かれるため、水平レバー６７は回動して、連杆７０でレバー３１を前方へ押すため、アーム部１５は軸２９を中心に後方へ回動して、実線の位置から鎖線で示す位置へと起される。
【００３７】
また、起伏レバー２７を図１０に鎖線で示す位置から実線で示す位置へと倒すと、コイルばね６８で水平レバー６７の一端が押されるため、水平レバー６７は上記とは反対に回動して、連杆７０でレバー３１を後方へ引くため、アーム部１５は軸２９を中心に前方へ回動して、鎖線で示す位置から鎖線で示す位置へと倒される。
【００３８】
次に、図１２〜図１４は他の例を示すもので、７３は電源装置を示す。この電源装置７３はロッドと、該ロッドを点状に支持するスタンド７５とから構成され、ロッド７２の一端に玩具本体１の取付部８７が設けられ、取付部８７には端子９が設けられている。ロッド７２の他方には電池７を内蔵した錘部材７３がロッドに沿って移動可能に支持されている。ロッド７２の中間には円錐形の支点部７４を設け、この支点部７４をスタンド７５の上に立てた支柱７６の尖頭部７７に係合させてある。
【００３９】
上記錘部材７３は、図１３に示す通り、箱形に形成され、ロッド７２の一方を移動自在に貫通させて、この部分の外周にねじ溝７８を形成するとともに、図１３の円内に示す通りのキー溝７９を略全長に亘って設け、上記ねじ溝７８に外周へ歯車８０を形成したナット８１を螺合させ、このナット８１を一対の止片８２で挟ませて横移動しないようにする。そして、上記キー溝７９にはキー８３を係合させて、ねじ溝７８のナット８１との共廻りを防止し、ナット８１の下方にはモータ８４を配置して、その軸に固定した小歯車８５とナット８１の外周に設けた歯車８０とを中間歯車８６で連係させた構成とする。
【００４０】
上記ロッド７２の玩具本体１を取り付ける端部には、玩具本体１の支持駒８７を設けて、この支持駒８７に一対の端子９を設け、この端子９と錘部材７３に内蔵した電源装置７を、ロッド７２のねじ溝７８を設けた部分においてはキー溝７９を通し、他の部分ではロッド７２の下側に添えて支持駒８７へ導いた電線１０で接続する。そして、モータ８４への給電の制御は、図面を省略した有線又は無線のコントローラ（操作手段）によって行う。
【００４１】
次に、一端に玩具本体１を接点５と端子９との係合により取り付け、他方に錘部材３を係合させたロッド７２を、その支持部７４を支柱７５の尖頭部７７に係合させて支持させる。そして、電池７から玩具本体１が内蔵するモータ２へ給電すると、モータ２が起動してプロペラ３を回転させて推力を発生するので、飛行玩具１は推進してロッド７２に支点部７４を中心とした旋回運動を起こさせ、飛行機が旋回飛行する状態を表現する。
【００４２】
上記旋回飛行の状態は、図１３に実線で示す通り、錘部材７３をロッド７２の内側におくときは、玩具本体１に働く重力が錘部材７３に働く重力よりも大きいため、玩具本体１は接地しているので、地上を滑走する状態で行なわれる。しかし、錘部材７３をロッド７２の外側へ移動させると、玩具本体１へ働く重力よりも錘部材７３に働く重力が増すため、玩具本体１は次第に高く上がり、同図に鎖線で示す通り最外側に移動させたときは、玩具本体１は鎖線で示す高さまで上がって、高空で旋回する状態となる。
【００４３】
また、リモコン操作でモータ８４を一方向に回転させると、モータ８４の回転が小歯車８５、中間歯車８７、歯車８６でナット８１へ伝えられ、ナット８１を回転させるので、ナット８１は錘部材７３を伴ってねじ溝７８を外側へ進み、錘部材７３に働く重力を次第に増して行くため、ロッド７２は錘側が下がって、玩具本体１側が上がるように傾き、玩具本体１を次第に上げて、図１４に鎖線で示す高さまで上昇させる。
【００４４】
しかし、モータ８４を逆方向へ回転させると、ナット８１が反対方向へ回転されるため、ナット８１は錘部材７３を伴ってねじ溝７８を内方へ進み、ロッド７２に働く重力を減らして行くため、ロッド７２は玩具本体１側を次第に下げ、図１３図に鎖線で示す通り接地させるようになる。
【００４５】
ところで、図１５のように、前記プロペラ回転用モータ又は発光素子部材と前記電源装置６の取付部８に取り付け可能な受け部４とをそれぞれ玩具本体１に着脱可能とし、上記受け部４には、上記電源装置６の端子と接続するコード９０と端子ピン９１を形成し、モータ２および発光素子部材１３にはピン孔９２を形成しておく。
【００４６】
上記構成によれば、図１６（ａ）（ｂ）に示されるように、玩具本体１に受け部４とモータ２又は発光素子部材１３とを取り付ければ、受け部４によって電源装置６と上記モータ２又は発光素子部材１３とが電気的に接続可能に形成されているので、モータ２によってプロペラ３を回転させることができ、または発光素子部材１３から発光させてジェット機が燃料を噴射しながら飛行する状態を作り出すことができる。玩具本体１にはモータ２や発光素子部材１３を設けておく必要がないので、いろいろな型の玩具本体を低コストで製造することができる。
【産業上の利用可能性】
【００４７】
玩具本体１で飛行状態を表現させることにより、遊戯の楽しさを増すだけでなく、飛行に対する教育の効果も得られて玩具本体の発展に大きく寄与する。
【図面の簡単な説明】
【００４８】
【図１】スタンドに支持させたプロペラ推進の玩具本体を示す斜視図。
【図２】同上玩具本体をスタンドから離脱した斜視図。
【図３】スタンドに支持させたジェット推進の玩具本体を示す斜視図。
【図４】玩具本体の飛行態様を変化させる操作装置の斜視図。
【図５】同上操作装置で玩具本体を上昇状態に操作した側面図。
【図６】同上操作装置で玩具本体を下降状態に操作した側面図。
【図７】（ａ）（ｂ）は、同上操作装置で玩具本体を右傾斜及び左傾斜に操作する場合の装置の操作状態を示す平面図。
【図８】（ａ）（ｂ）は、同上操作装置で玩具本体を右傾斜させる場合の可動駒の状態を示す側面図及び正面図。
【図９】（ａ）（ｂ）は、同上操作装置で玩具本体を左傾斜させる場合の可動駒の状態を示す側面図及び正面図。
【図１０】同上操作装置のアームを起伏させる機構とその作動状態を示す側面図。
【図１１】アームを起伏させる機構の平面図。
【図１２】玩具本体を旋回飛行させる操作装置の斜視図。
【図１３】装置のロッドに対して錘部材を移動させる機構を示す正面図。
【図１４】ロッドに対する錘部材の移動で旋回飛行の高度が変化する状態の説明図。
【図１５】取付部の他の態様を示す斜視図。
【図１６】（ａ）（ｂ）は上記取付部に玩具本体を取り付けた状態を示す斜視図。
【符号の説明】
【００４９】
１  玩具本体
２  モータ
３  プロペラ
１３  発光素子部材
６  電源装置
【図１】
2005323947.tif 000003
【図２】
2005323947.tif 000004
【図３】
2005323947.tif 000005
【図４】
2005323947.tif 000006
【図５】
2005323947.tif 000007
【図６】
2005323947.tif 000008
【図７】
2005323947.tif 000009
【図８】
2005323947.tif 000010
【図９】
2005323947.tif 000011
【図１０】
2005323947.tif 000012
【図１１】
2005323947.tif 000013
【図１２】
2005323947.tif 000014
【図１３】
2005323947.tif 000015
【図１４】
2005323947.tif 000016
【図１５】
2005323947.tif 000017
【図１６】
2005323947.tif 000018